(57)【要約】【課題】短波長レーザ（波長６００ｎｍ以下）を情報記録に用いる追記型光ディスクにおいて、長波長レーザ（波長６００ｎｍ〜８００ｎｍ）を用いてもＢＣＡの情報記録を実用可能にする。【解決手段】光ディスクの成形基板上のＢＣＡ部分に溝を予め刻み込んでおき、この溝に色素を溜める。これによりＢＣＡの色素の感度を上げて、色素の情報記録に対応する波長（例えば４０５ｎｍ）以外の波長（６００ｎｍ〜８００ｎｍの範囲内の波長）を持つレーザでもＢＣＡにバーコードパターンを記録できるようにする。【選択図】  図１
2007323773.tif 000002
【特許請求の範囲】
【請求項１】
1以上の成形基板に1以上の記録層を持ち、この記録層のうちの１つに有機色素材料を用いたバーストカッティングエリアが設けられ、このバーストカッティングエリアはディスク固有の特定情報を記録できるように構成され、波長が６００ｎｍ以下のレーザ光を前記記録層のデータエリアに照射することにより記録再生が行われる光ディスクにおいて、
前記バーストカッティングエリアが設けられる記録層を持つ前記成形基板に溝を設け、この溝に前記有機色素材料を溜めることで、前記ディスク固有の特定情報を記録する波長に対する前記バーストカッティングエリアの感度を、溝のない場合と比べて相対的に高めた光ディスク。
【請求項２】
前記１以上の形成基板のうちの前記バーストカッティングエリアを含むエリアに限定して前記溝を設けた請求項１に記載の光ディスク。
【請求項３】
前記バーストカッティングエリアに設けられる前記溝の形状は、その溝ピッチが前記データエリアのトラックピッチと同程度かそれよりも狭く、その溝幅が溝ピッチの半分よりも広い請求項１または請求項２に記載の光ディスク。
【請求項４】
前記溝の形状は、その溝ピッチが前記データエリアのトラックピッチの１．０５倍ないし０．５０倍の範囲にあり、その溝幅が前記溝ピッチの０．６倍ないし０．８倍の範囲にある請求項３に記載の光ディスク。
【請求項５】
前記記録層は複数設けられ、前記複数の記録層のうち前記レーザ光の受光面側の記録層の前記データエリアには４０５ｎｍ前後の波長の光に感度を持つ第１の有機色素材料が用いられ、
前記複数の記録層のうち前記レーザ光の受光面より奥にある記録層に前記バーストカッティングエリアが設けられ、このバーストカッティングエリアの前記溝に溜められる前記有機色素材料には６００ｎｍないし８００ｎｍの範囲内の波長の光に感度を持つ第２の有機色素材料が用いられる請求項１ないし請求項４のいずれか1項に記載の光ディスク。
【請求項６】
前記記録層は複数設けられ、前記複数の記録層のうち前記レーザ光の受光面より奥にある記録層の全体には、４０５ｎｍ前後の波長の光と６００ｎｍないし８００ｎｍの範囲内の波長の光の双方に感度を持つ有機色素材料が用いられる請求項１ないし請求項５のいずれか1項に記載の光ディスク。
【請求項７】
前記特定情報がチャネルビット０相当のＢＣＡスペースとチャネルビット１相当のＢＣＡマークの組み合わせにより前記バーストカッティングエリアに記録される場合において、前記チャネルビット０に対応する再生信号振幅の最大トップレベルおよび最小トップレベルをそれぞれＩＢＨｍａｘおよびＩＢＨｍｉｎとし、前記チャネルビット１に対応する再生信号振幅の最大ボトムレベルをＩＢＬｍａｘとしたときに、ＩＢＬｍａｘ／ＩＢＨｍｉｎが０．８以下となるように、前記溝の形状および／または前記溝に溜められる有機色素材料が選択される請求項１ないし請求項６のいずれか1項に記載の光ディスク。
【請求項８】
前記チャネルビット０に対応する再生信号振幅のレベル変動を示すＩＢＨｍａｘ／ＩＢＨｍｉｎが１．４以下となるように、前記溝の形状および／または前記溝に溜められる有機色素材料が選択される請求項７に記載の光ディスク。
【請求項９】
波長が６００ｎｍ以下のレーザ光の照射により記録再生を行う追記型の多層光ディスクであって、
情報を読み出すためのガイドとなる同心円状またはスパイラル状に設けられたグルーブを有する１以上の成形基板を具備し、
前記１以上の形成基板のうちの１つはディスク固有の特定情報情報が特定の波長で記録されるバーストカッティングエリアを持ち、
前記１以上の成形基板に有機色素からなる記録層を設けることで情報の記録再生を可能とする光ディスクにおいて、
前記バーストカッティングエリアに溝を設け、この溝に有機色素材料を溜めることで、この有機色素材料の前記特定の波長に対する感度を上げた光ディスク。
【請求項１０】
波長が６００ｎｍ以下のレーザ光の照射により記録再生を行う追記型の多層光ディスクであって、情報を読み出すためのガイドとなる同心円状またはスパイラル状に設けられたグルーブを有する１以上の成形基板を具備し、前記１以上の形成基板のうちの１つはディスク固有の特定情報情報が特定の波長で記録されるバーストカッティングエリアを持ち、このバーストカッティングエリアには有機色素材料が溜められた溝が設けられ、前記１以上の成形基板に有機色素からなる記録層を設けることで情報の記録再生を可能とする光ディスクを用いる方法において、
前記溝が設けられた前記バーストカッティングエリアに前記特定の波長のレーザを照射して、前記特定情報を記録する情報記録方法。
【請求項１１】
波長が６００ｎｍ以下のレーザ光の照射により記録再生を行う追記型の多層光ディスクであって、情報を読み出すためのガイドとなる同心円状またはスパイラル状に設けられたグルーブを有する１以上の成形基板を具備し、前記１以上の形成基板のうちの１つはディスク固有の特定情報情報が特定の波長で記録されたバーストカッティングエリアを持ち、このバーストカッティングエリアには有機色素材料が溜められた溝が設けられ、前記１以上の成形基板に有機色素からなる記録層を設けることで情報の記録再生を可能とする光ディスクを用いる方法において、
前記溝が設けられた前記バーストカッティングエリアに前記所定波長のレーザを照射して、前記特定情報を再生する情報再生方法。
【請求項１２】
波長が６００ｎｍ以下のレーザ光の照射により記録再生を行う追記型の多層光ディスクであって、情報を読み出すためのガイドとなる同心円状またはスパイラル状に設けられたグルーブを有する１以上の成形基板を具備し、前記１以上の形成基板のうちの１つはディスク固有の特定情報情報が特定の波長で記録されたバーストカッティングエリアを持ち、このバーストカッティングエリアには有機色素材料が溜められた溝が設けられ、前記１以上の成形基板に有機色素からなる記録層を設けることで情報の記録再生を可能とする光ディスクを用いるものにおいて、
前記光ディスクを回転駆動する手段と；
前記溝が設けられた前記バーストカッティングエリアに前記所定波長のレーザを照射して、前記特定情報を読み取る手段とを具備したディスクドライブ。
【発明の詳細な説明】
【技術分野】
【０００１】
この発明は、レーザ光の照射により記録／再生を行う追記型の光ディスクにおいて、ディスク固有の情報を有するＢＣＡ（BURST CUTTIG AREA）から高いＣＮ比（Carrier to Noise Ratio）の信号が得られるようにした技術に関する。
【背景技術】
【０００２】
光ディスクは、ＣＤ、ＤＶＤ−ＲＯＭに代表される再生専用型、ＣＤ−Ｒ、ＤＶＤ−Ｒに代表される１回追記型、ＣＤ−ＲＷ、ＤＶＤ−ＲＷ／ＲＡＭに代表される書き換え可能型（コンピュータの外付けメモリあるいは録再ビデオに利用される）などがある。近年、光ディスクは情報関連及び放送関連機器で求められる記録容量の急激な増加に対応するため容量アップが求められている。そのため、記録密度を上げる目的で、レーザ波長の短波長化（集光スポット径の小径化）や超解像技術等の研究が進められる一方、トラックピッチ、マークピットピッチを詰めるためにマスタリング技術の改良も検討されている。
【０００３】
現在記録・再生メディアとして世界に普及しているＤＶＤディスクは、ポリカーボネート樹脂を射出成形して作製した０．６ｍｍ厚の成形基板に反射膜や記録膜を成膜した後、紫外線硬化樹脂（以下ＵＶ樹脂）等を用いて貼り合わせることで、総厚１．２ｍｍの光ディスクとして作製されている。ディスクの種類には、再生専用のＤＶＤ−ＲＯＭ、１回追記のＤＶＤ−Ｒ、書き換え可能なＤＶＤ−ＲＷ／ＲＡＭ等の各種ディスクがある。
【０００４】
さらに記録容量をアップさせた次世代ＤＶＤとして、ＨＤ＿ＤＶＤディスクがＤＶＤフォーラムで規格化され、間もなく市場投入されようとしている。ＨＤ＿ＤＶＤでは、容量を上げるために、ＤＶＤで使用した６５０ｎｍ（赤色）半導体レーザに代わり、より短波長の４０５ｎｍ（青紫ないし青色）半導体レーザを使用して記録再生を行う。その際、ディスクに記録されるマーク形状もより小さくなり高密度の記録が行われる。この高密度のマークを安定して再生するために、新たな信号処理方式ＰＲＭＬ（Partial Response Maximum Likelihood）も開発されている。
【０００５】
従来の信号検出方式では、ビット毎に記録された情報が“０”であるか“１”であるかを判定してる。情報の記録密度が上がってくると、ピットあるいはマークの間隔が接近してくるため、再生信号は、隣接情報ビットからの波形干渉の影響を大きく受けるようになってくる。この波形干渉の影響を取り除くには、例えば記録再生チャネルの応答特性の高域成分を強調して、応答波形の隣接ビットへの裾を低く抑えるような信号処理を施す必要がある。しかしながら、応答特性の高域成分を強調すると、雑音成分も同時に強調されてしまうため、これに起因する誤りが増加してしまう。したがって、従来の信号処理方式では、記録密度を大きく改善することは難しい。
【０００６】
これに対して、ＰＲＭＬ信号処理方式では、再生信号波形の隣接ビット間の波形干渉量をＰＲ（Partial Response）クラスで規定された範囲で許容する。再生波形は、隣接ビットからの波形干渉を受けて歪を生じるため、従来方式のように１ビットだけでデータを判定することはできなくなる。ただし、波形干渉量は規定の値に限定されるため、波形の前後をも考慮に入れたシーケンスのうち、最も確からしいものを選択するＭＬ（Maximum Likelihood）判定回路を用いた最尤検出器を用いると、情報ビットの前後に分散した信号パワーを効率良く利用できるようになる。そのため良好な誤り率でデータを検出することができる。その際、再生波形のＰＲクラスからのずれを補正するための等化回路としてＰＲ等化器が使用される。
【０００７】
従来のレベルスライス等化器では再生波形に対して、等化波形とある設定された閾値との交点がウィンドウの中心になるような波形等化が施される。具体的には、再生信号の高周波成分の増幅が行なわれる。検出器では、等化波形と閾値との交点を検出し、ウィンドウ内で交点が検出されれば”１”、検出されなければ”０”として２値データを出力する。そして、この交点検出後により得られた２値データにＮＲＺＩ（Non Return to Zero Inverted）変換を施すことにより、復号データが得られる。
【０００８】
等化波形と閾値との交点は、雑音等のため必ずしもウィンドウの中心とはならない。ウィンドウ幅で規格化したときの交点データの標準偏差はジッタと呼ばれ、光ディスクやドライブの評価基準として使用される。いま、現行ＤＶＤと同じ光ヘッドを用いて、現行ＤＶＤよりも高密度化した光ディスクを再生する場合を考える。トラック密度が高くなると、再生信号にはクロストーク成分と呼ばれる信号劣化成分が多く含まれることとなる。一方、線密度が高くなると、再生波形はより鈍った波形となる。等化器では、前述したように再生信号の高周波成分の増幅が行われているので、入力する再生波形がより鈍っている場合には、高周波成分をより増幅する必要がある。その結果、等化器はこうした信号劣化成分までも増幅させることとなる。このように信号検出方式に波形スライス方式を用いた場合には、どのように高密度化をしても信号劣化成分が増加してしまい、もはや、正しくデータの復号を行うことはできない。
【０００９】
このように再生信号のＳＮＲ（信号対雑音比）が低下した場合に対応するため、再生信号処理方式として、波形スライス方式の代わりにＰＲＭＬ（Partial Response Maximum Likelihood）方式が用いられる。ＰＲＭＬ方式においては、まず等化器でＰＲ特性と呼ばれる識別点間で既知の相関を持った波形へと等化される。このＰＲＭＬ信号処理方式により、高記録密度においても良好なエラーレートを得ることが可能になる。
上記の技術等を用いて開発されたＨＤ＿ＤＶＤディスクには、ＤＶＤと同様に再生専用のＲＯＭ、書き換え型のＲＷ／ＲＡＭ、追記型のＲの各種ディスクがある。その中でＲディスクは、現行ＤＶＤでもデータや映像のバックアップや保存メディアとして、世界中で大量に使用されている。追記型ディスクでは特に記録容量が大きいことがユーザに望まれており、容量アップのために片面再生２層ディスクが生産されている（同じ技術により両面併せて４層ディスクが可能）。両面２層に比べて片面２層は、ユーザがディスクを反転する必要がなく、ユーザに強く支持されている。ＨＤ＿ＤＶＤでも片面２層（ＨＤ＿ＤＶＤ−Ｒ：ＤＬ）（ＤＬはDual-Layerの略）ディスクの開発に各社が取り組んでいる。この２層ディスクは、レーザ受光面側に第1の記録層（Ｌ０層）を設け、Ｌ０層よりもディスクの内部側（奥側）に第２の記録層（Ｌ１層）を設けた構造となっている。
【００１０】
以上のように、ＣＤからＤＶＤ、さらにＨＤ＿ＤＶＤとより高密度のディスクが開発されているが、光ディスクドライブ、プレーヤ、レコーダは各種ディスクの再生互換が求められ、ディスク判別が益々難しくなっている。ディスク判別を行うための１手段として、ディスク固有の情報を記録するＢＣＡを各ディスクに設ける方法がある。ＢＣＡは、波長６５０ｎｍのレーザを用いた現行ＤＶＤディスクでは必須ではなかったが、波長が６００ｎｍ以下（例えば４０５ｎｍ）のレーザを用いる次世代ＨＤ＿ＤＶＤディスクでは、ディスクコピープロテクションに関する情報などを含めることになり、より重要でディスクに必須の項目になっている。
【００１１】
ＢＣＡの作成方法には、マスタリング時にスタンパに作成するスタンパＢＣＡとディスク作成後にレーザで形成するポストカットＢＣＡの２方式がある。後者のボストカットＢＣＡ自体は特許文献１（光ディスクのコード記録方法及びコード記録装置）で提案されている。この文献の内容は、再生専用型および相変化記録型光ディスクにおいて、変調信号をスピンドルモータからの信号と同期させてバーコード状のパターン（ＢＣＡコードのマークパターン）を記録するものであり、ここでは再生専用型ディスクの反射膜をレーザで焼き切る、または相変化記録型のディスクをレーザで相変化させることで、ＢＣＡのバーコードパターンを記録する。
【００１２】
現行ＤＶＤ−Ｒディスクは、成形基板上に有機色素を塗布しその上に反射膜を形成する構造をしているが、ＢＣＡを形成する場合にはポストカットＢＣＡを用いることが多い。これはマスタリングＢＣＡで形成を試みた場合に、成形基板上のＢＣＡパターンを塗布される色素が埋めてしまうため、高ＣＮのＢＣＡ信号を得にくいためである。そのためにディスク作成後に有機色素に記録する形でＢＣＡを形成（ポストカット）していた。またディスク１枚１枚に完全に個別な情報を与えるには、ポストカットＢＣＡを行うしかなかった。なお、上記有機色素に関する公知例としては、特許文献２および特許文献３がある。
【００１３】
また現行ＤＶＤ−Ｒ２層ディスクでは、２層ＤＶＤ−ＲＯＭと同様にＬ１層にＢＣＡを設けたかったのであるが、「Ｌ１層にＢＣＡを設ける」ことはマスタリングＢＣＡでもポストカットＢＣＡのどちらも作成が難しく、Ｌ０層に形成する規格になっている。
【特許文献１】特開2004-152429号公報
【特許文献２】特開2002-74740号公報
【特許文献３】特開2002-206061号公報
【発明の開示】
【発明が解決しようとする課題】
【００１４】
有機色素を用いた追記型光ディスクでは記録特性に波長依存性があるため、次世代の短波長対応の色素を用いたディスクにこれまでポストカットで使用されてきた現行の長波長レーザでＢＣＡバーコードパターンを記録することは、実用上できない。
【００１５】
再生専用、書き換え型、追記型の各種光ディスクにおいて、情報記録容量を上げるために片面２層ディスクが作成されているが、次世代ＤＶＤであるＨＤ＿ＤＶＤの２層ディスクでは、固有のディスク情報を有するＢＣＡ部は２層の奥側の層（Layer1：Ｌ１層）に形成することが決められている。ＨＤ＿ＤＶＤの追記型ディスク（ＨＤ＿ＤＶＤ−Ｒ）も、手前の層（Layer0：Ｌ０層）に影響は与えず、Ｌ１層に高ＣＮ比の再生信号が得られるＢＣＡを形成する必要があり、そのためにディスクに用いる基板構造および／または記録用色素に改良を行った光ディスク及びその光ディスクを記録再生する方法・装置（ディスクドライブ）が求められている。
【００１６】
この発明の課題の１つは、短波長レーザを情報記録に用いる追記型光ディスクにおいて、長波長レーザを用いてもＢＣＡの情報記録を実用可能にすることである。
【課題を解決するための手段】
【００１７】
この発明の一実施の形態に係る光ディスクでは、成形基板上のＢＣＡ部分に溝を予め刻み込んでおき、この溝に色素を溜めることによりＢＣＡの色素の感度を上げて、色素の情報記録に対応する波長（例えば４０５ｎｍ）以外の波長（６００ｎｍ〜８００ｎｍの範囲内の波長）を持つレーザでもＢＣＡにバーコードパターンを記録できるようにしている。
【００１８】
なお。この発明の一実施の形態に係る２層Ｒディスクでは、Ｌ１層にのみＢＣＡ用の溝を形成する。誤ってＬ０層にＢＣＡパタ−ンが形成されると、Ｌ０層に誤って形成されたＢＣＡパターンからの信号の漏れこみにより、Ｌ１層のＢＣＡパターン読み取り精度が落ちてしまうからである。そのため、上記の基板上に溝を設ける処理はＬ１層用基板のみに行う。ＢＣＡ記録を行う必要がないＬ０層の基板には全く溝を設けずに、長波長のレーザではＬ０層の色素の記録感度が低い状態を保たせる。これにより、必要なＬ１層のみにＢＣＡ記録を行うことができる。
【００１９】
また上記は色素を塗布する基板構造（溝の有無）に改良を行ったが、色素自体に長波長レーザでも記録可能な成分を混ぜる手段もある。すなわちＢＣＡ記録を行うＬ１層用色素にだけ長波長で記録可能な成分を混ぜ、ＢＣＡ記録の必要のないＬ０層用色素には長波長で記録可能な成分を混ぜない（含めない）ことで、Ｌ１層に安定なＢＣＡパターンを設けることができる。
【発明の効果】
【００２０】
短波長（例えば４０５ｎｍ）レーザ用の追記型光ディスクにおいて、相対的に長波長（例えば６００ｎｍ〜８００ｎｍ）のレーザで、ＢＣＡ情報をポストカットできる。
【発明を実施するための最良の形態】
【００２１】
以下、図面を参照してこの発明の種々な実施の形態を説明する。図１は、この発明の一実施の形態に係る追記型片面多層（２層）光ディスク１００のＬ１層にバーストカッティングエリア（ＢＣＡ）が形成されることを説明する図である（実施例１）。ここでは、レーザ受光面側の基板１０１にＬ０層が設けられ、Ｌ０層と向き合わせにＬ１層が設けられ、Ｌ１層の上に基板１０２が配置されて、基板厚１．２ｍｍの張り合わせ２層ディスク１００が構成されている。このディスク１００の内周側のＬ１層上に、そのディスクに固有の情報がバーコード状のパターン（マーク）で記録されるＢＣＡ（Burst Cutting Area）が設けられる。２層ディスクでは、このＢＣＡを含むエリアＢＡの外側からディスク１００の外周手前までの範囲のＬ０層とＬ１層に、実データを記録するデータエリアＤＡが設けられる。
【００２２】
個々の光ディスク１００には、ディスク製造時にディスク固有の情報を予め記録しておくことが望ましい。このとき記録されるディスク固有の情報は、例えばコピープロテクションなどで個々のディスクを識別する必要のあるとき等に使用される。ＣＤ、ＤＶＤ、ＢＤ（Blue Disc）、ＨＤ＿ＤＶＤなどの光ディスクにおいて、このようなディスク固有の情報（ＢＣＡレコード等）は、ＢＣＡと呼ばれるバーコード状のパターンとして、図１のように予めディスク内周部（エリアＢＡ内）に刻まれる。
【００２３】
このＢＣＡをディスク１００に設けるには、光ディスク成形時の型となるスタンパにＢＣＡのパターンを刻んでおくという方法がある。しかしディスク一枚一枚に別個の固有の情報を記録するためには、製盤後のディスクに対して例えばレーザなどによりＢＣＡパターンを刻む必要がある。通常、再生専用ディスクに対してＢＣＡを記録する場合は、レーザ光でアルミ（Ａｌ）反射膜を焼ききることでパターンを作製する。また相変化記録型ディスクに対してＢＣＡを記録する場合は、レーザ光で記録膜を相変化させて反射率を変えることでパターンを作製する。
【００２４】
しかし有機色素材料を用いた追記型の光ディスク１００の場合、ＢＣＡ記録装置２００によりレーザ光を照射してもＢＣＡパターンが刻めないという問題がある。これは、ひとつには色素材料は波長依存性が高いため、次世代の短波長（例えば４０５ｎｍ）対応の光ディスクに対して現行波長（例えば６５０ｎｍ）のＢＣＡ記録装置を適用してもパターンを刻めないからである。また追記型ディスクは反射膜として熱伝導の良い銀（Ａｇ）系の材料を使用するため、ＢＣＡ記録装置のようなレーザスポットのパワー密度が低い装置では熱量が足りず、感度不足でパターンの記録ができないという原因もある。さらにレーザスポットパワーが高い装置が開発されたとしても、感度不足の膜では非常に大きなレーザパワーを投入するために、貼り合わせに使用した紫外線硬化樹脂が変化したり、反射膜が中途半端に焼け焦げる可能性がある。
【００２５】
そこで、この発明の一実施の形態では、有機色素材料を記録層として用いた追記型光ディスク１００においてＢＣＡパターン（ＢＣＡコードのマークパターン）１０５を記録する際には、図１に示すようにＢＣＡを設けるＬ１用成形基板１０２上のＢＣＡ領域（ＢＣＡを含むエリア）ＢＡに予めスパイラル状（またはディスクの回転中心に対して同心円状）の溝１０４を設けている。これにより溝１０４の中にＢＣＡ情報記録用の色素を溜めることができ、その溝１０４内に溜まった色素をＢＣＡ記録装置２００のレーザで化学変化（または色素のミクロな物理的構造変化）させることによりパターンを記録することが可能となる。このように色素を溜める溝１０４を持つ構造にすれば、ＢＣＡ記録装置２００のレーザ光に対する色素の感度を実質的に上げることができる。一方、ＢＣＡ記録を行う必要の無い（むしろ記録されては困る）Ｌ０用基板１０１には、溝１０４は設けず、平面形状のままとする。
【００２６】
なお、ＢＣＡパターン１０５は、一般的に幅（接線方向）数十μｍ、長さ（径方向）数百μｍ程度のバーコード状のパターンである。また成形基板１０２上に予め刻んでおくスパイラル状（あるいは同心円状）の溝１０４は、例えばそのピッチを数μｍ以下とし、その深さはデータエリアのグルーブと同程度（１００ｎｍ弱：例えば５０ｎｍ〜８０ｎｍ程度）とする。
【００２７】
この実施の形態では、ディスク１００は直径１２０ｍｍで厚さが１．２ｍｍ（０．６ｍｍのポリカーボネート成形基板１０１、１０２の２枚貼り合せ）であり、かつ有機色素材料を記録層に用いた追記型の光ディスクであるとする。記録再生光については波長λ＝４０５ｎｍで開口数ＮＡ＝０．６５の光学系を用いることとする。データ記録領域のグルーブ間トラックピッチは４００ｎｍであり、ＢＣＡ領域は半径２２．1〜２３．２ｍｍとする。しかしこの発明を実施するにあたっては、これらの数値例に限られるわけではない。例えば、表面に０．１ｍｍのカバー層を設けた光ディスクでも良く、直径８０ｍｍの光ディスクでも良く、更に高密度のトラックピッチパターンでも良く、更に短波長（例えばλが４００ｎｍ以下）のレーザを使用しても良く、更に高開口数（ＮＡが例えば０．８〜０．９）の光学系（対物レンズ）を使用しても良い。
【００２８】
ディスク１００の具体的な材料例としては、成形基板１０１、１０２がポリカーボネート、成形に用いるスタンパがニッケル（Ｎｉ）、記録層がアゾ系、ジアゾ系、シアニン系、フタロシアニン系、スチリル系、もしくはこれらの混合物からなる有機色素材料、反射膜が銀（Ａｇ）、アルミ（Ａｌ）、金（Ａｕ）またはこれらをベースとする金属化合物、基板を貼り合せる接着剤はアクリル系またはエポキシ系の紫外線硬化樹脂等とする。但し、この発明を実施するにあたっては、これらの材料例に限られるわけではない。
【００２９】
ところで、再生専用の２層光ディスクの場合では、ＢＣＡは、記録再生光の入射面から見て奥側の層に記録されるのが一般的である。再生専用型と互換性を保つためには、記録型（追記型）の２層光ディスクでも記録再生光の入射面から見て奥側の層にこのＢＣＡ信号を記録することが望ましい。しかしそれにはいくつかの問題点が存在する。
【００３０】
すなわち、有機色素材料を用いた追記型の光ディスクの場合では、色素の感度は波長に対して非常に敏感であるため、短波長（例えば４０５ｎｍ）対応の色素を用いた次世代光ディスク（例えばＢＤやＨＤ＿ＤＶＤ）に対して長波長（例えば６５０ｎｍ〜７８０ｎｍ）のレーザを用いた現行のＢＣＡ記録装置を適用しても、満足にＢＣＡパターンを記録できない。この場合、ＢＣＡ記録装置のレーザパワーを強める事やＢＣＡ記録装置のレーザ波長をデータ記録波長（例えば４０５ｎｍ）に合わせて変更する事が考えられる。しかし、ＢＣＡの情報は手前の層（Ｌ０）越しに奥の層（Ｌ１）に記録するため、ＢＣＡ記録装置の焦点深度が非常に深い（若しくはＢＣＡ記録光が平行光）事と相まって、この方法では手前の層の色素も反応してしまう。そしてそれがＢＣＡ信号再生時にノイズ（層間クロストーク信号）となってしまう。
【００３１】
そこで、この発明の他の実施の形態では、データの記録再生に用いる波長をＡ（ｎｍ）、ＢＣＡ記録装置の波長をＢ（ｎｍ）としたとき、ＢＣＡを記録しない手前（ディスク表面寄り）の層（Ｌ０）よりもＢＣＡを記録する奥の層（Ｌ１）の方が（特に溝１０４を有するＢＣＡのエリアＢＡにおいて）波長Ｂに対する記録感度が高くなるように、使用する有機材料を選定している。実データ（ＭＰＥＧ４ＡＶＣなどでエンコードされた高精細ビデオデータ等）の記録に用いる波長とＢＣＡ情報の記録に用いる波長を別（Ａ≠Ｂ）にしたままで、奥の層（Ｌ１）だけにＢＣＡ記録装置の波長にも対応した色素を用いる（例えば、４０５ｎｍ付近に感度を持つ色素と６５０ｎｍ〜７８０ｎｍ付近に感度を持つ色素といった、感度の違う２種類の色素を混合する）ことで、奥の層（Ｌ１）のみにＢＣＡ信号を選択的に記録することができる。ＢＣＡを記録する奥の層（Ｌ１）に相応しい色素の吸光度特性の実例については、図７を参照して後述する。
【００３２】
図２は、図１のＢＣＡに記録されるＢＣＡレコードの内容例を説明する図である。図２（ａ）に例示されるように、このレコードには、相対バイト位置０〜１にＢＣＡレコードＩＤ（ＨＤ＿ＤＶＤブックタイプ識別子を示す）が記述され、相対バイト位置２に適用規格のバージョン番号が記述され、相対バイト位置３にデータ長が記述され、相対バイト位置４に規格書のブックタイプとディスクタイプが記述され、相対バイト位置５に拡張パートバージョンが記述され、相対バイト位置６〜７はその他の情報記述用に予約されている。
【００３３】
ＢＣＡレコードのうち、そのディスクが準拠する規格書のブックタイプとディスクタイプの欄は、図２（ｂ）に例示されるようになっている。すなわち、ブックタイプにはＨＤ＿ＤＶＤ−Ｒ用の規格であることを示す情報を記述できるようになっており、ディスクタイプにはマーク極性フラグとツインフォーマットフラグを記述できるようになっている。
【００３４】
図２（ｂ）のマーク極性フラグは、“0b”のときは記録マークからの信号が（隣接マーク間の）スペースからの信号よりも大きい“Low-to-High”ディスクであることを示し、“1b”のときは記録マークからの信号がスペースからの信号よりも小さい“High-to-Low”ディスクであることを示すことができる。また、ツインフォーマットフラグは、“0b”のときはツインフォーマットディスクではなく、“1b”のときはツインフォーマットディスクであることを示すことができる。ツインフォーマットディスクであるときは、（そのＢＡＣレコードが記録された）ディスクが２つの記録層を持ち、各層がＤＶＤフォーラムで規定された別個のフォーマット（例えばHD_DVD-Video formatとHD_DVD-Video Recording format）を持つことになる。
【００３５】
現行ＤＶＤではツインフォーマットディスクは存在しないが、次世代のＨＤ＿ＤＶＤではツインフォーマットディスクが存在し得るので、ＢＣＡにツインフォーマットフラグを記述できるようになっていることは、この発明の一実施の形態に係る追記型多層（２層）光ディスク（次世代のＨＤ＿ＤＶＤ用のディスク）にとって大きな意味がある。
【００３６】
図３は、図２のＢＣＡレコード等を含む特定情報を図１のＢＣＡに記録する装置の構成例を説明する図である。ＢＣＡ記録装置によるＢＣＡ信号（図２のＢＣＡレコード等の情報を含む信号）の記録は、完成形となったディスク１００に対して行われる。コントローラ２０２からのＢＣＡ信号に応じてレーザ２１０を変調し、ディスク１００の回転に同期させてバーコード状のＢＣＡマークを記録する。ＢＣＡ記録装置のレーザ波長には、６００ｎｍ〜８００ｎｍ（一般的には６５０ｎｍ〜７８０ｎｍあるいは６８０ｎｍ〜７８０ｎｍ）の範囲内の１つが採用される。ＢＣＡの記録場所は、２層光ディスクならば一般的にＬ１層の内周部半径２２．２ｍｍ〜２３．１ｍｍ付近にある。ＢＣＡ記録を行う際はＬ０層越しにＬ１層にレーザを照射することになるが、この発明の実施の形態では波長６５０ｎｍ〜７８０ｎｍ（あるいは６８０ｎｍ〜７８０ｎｍ）での吸光度（感度）を調整してある（Ｌ１層の感度＞Ｌ０層の感度）。そのため、実質的な意味合いで、Ｌ１層にのみ選択的にＢＣＡ信号を正確に記録することができる。
【００３７】
このように各層の色素の感度（使用波長における吸光度）を調整することで、現在ＤＶＤ製造ラインで一般的に使われているＢＣＡ記録装置のレーザ波長とレーザパワーそのままで、次世代光ディスクに対してＢＣＡ信号を記録することができる。また、Ｌ１層だけに選択的にＢＣＡ信号を記録することが可能なため、再生時にはＬ０層からの余分なクロストークノイズも無い。
【００３８】
すなわち、この発明の一実施の形態において、各層（Ｌ０、Ｌ１等）の色素の感度を調整する（例えば６００ｎｍ〜８００ｎｍまたは６５０ｎｍ〜７８０ｎｍもしくは６８０ｎｍ〜７８０ｎｍにおけるＬ１層色素の感度もしくは吸光度が、Ｌ０層色素の感度もしくは吸光度よりも大きくなるような有機材料を用いる）。そうすることで、現在ＤＶＤ製造ラインで一般的に使われているＢＣＡ記録装置のレーザ波長とレーザパワーのままで、次世代光ディスク（片面２層のＨＤ＿ＤＶＤ−Ｒ等）に対してＢＣＡ信号を記録することができる。その際、Ｌ１層だけに選択的にＢＣＡ情報を記録することが可能なため、ＢＣＡ信号再生時にＬ０層からの余分なクロストークノイズが混入しない。
【００３９】
図４は、図１の追記型片面多層（２層）光ディスクのＬ１層に特定情報を記録（ＢＣＡポストカット）する手順の一例を説明するフローチャートである。図２のＢＣＡレコード等の特定情報を含むＢＣＡ信号が図３のコントローラ２０２からレーザ出力制御部２０８に供給されると、その信号内容に対応して、レーザダイオード２１０から、波長６００ｎｍ〜８００ｎｍ（または６５０ｎｍ〜７８０ｎｍ、もしくは６８０ｎｍ〜７８０ｎｍ）の中の１つの波長のレーザ光が、パルシブに発光する（ＳＴ１０）。こうして発光されたレーザ光パルスは、図１に示すディスク１００のＬ０層越しに、Ｌ１層のＢＣＡ記録場所（図１の溝１０４が設けられた場所）に照射される（ＳＴ１２）。この照射はディスク１００の回転に同期して継続される。ＢＣＡへの記録情報の残りがなくなれば（ＳＴ１４イエス）、Ｌ０層越しのＬ１層へのＢＣＡポストカットが終了する。
【００４０】
図５は、図１の追記型片面多層（２層）光ディスクのＬ１層から特定情報を再生する手順の一例を説明するフローチャートである。ＢＣＡに記録された情報を再生する際には、所定波長（例えば４０５ｎｍまたは６５０ｎｍ）のレーザ光がＬ０層越しにＬ１層のＢＣＡに照射される（ＳＴ２０）。その反射光から、その光ディスクに関する特定情報（図２のＢＣＡレコード等）が読み取られる（ＳＴ２２）。この読み取りはディスク１００の回転に同期して継続される。ＢＣＡからの読み取り情報の残りがなくなれば（ＳＴ２４イエス）、Ｌ０層越しのＬ１層からのＢＣＡ再生は終了する。
【００４１】
図６は、この発明の一実施の形態に係る追記型片面２層光ディスクの製造工程例を説明する図である。この追記型光ディスクの作製方法を図６に沿って以下に述べる。先に単層ディスクの場合について作製方法を大まかに説明し、続いて２層ディスクの作製方法を具体的に説明する。単層ディスクの場合、図示しない原盤としては表面を研磨洗浄したガラスを用いる。その原盤表面にフォトレジストを塗布し、その表面をレーザ光などで露光することで所定の情報を記録する。次に露光した原盤を現像しピットやグルーブ溝の凹凸を形成する。その後、その原盤をメッキ処理することでスタンパ（材料は一般にニッケル）を作成する。そのスタンパを型として射出成形により樹脂（材料は一般にポリカーボネート）成形板を作成する。単層ディスクの場合は、この成形基板上に記録層として有機色素をスピンコートにより塗布し、その上に反射層（例えば銀または銀合金）を形成した後、ダミーの成形基板をもう１枚用意して接着層を介して貼り合せてディスクが完成する。
【００４２】
２層ディスクの場合の作製方法は、例えば次のようになる。すなわち、図６に示すように、まず射出成形によりＬ０層の成形板を作製する（ブロック０３０１）。成形材料は一般的にポリカーボネートである。Ｌ０層の成形の型に使うスタンパはレーザ露光されたフォトレジストパターンからＮｉメッキにより作製される。成形板の寸法は直径１２０ｍｍ、内径１５ｍｍ、厚さ０．６ｍｍである。この成形板に対して記録層となる有機色素材料を周知のスピンコート法により塗布し、反射膜となる金属膜（例えば銀または銀合金）を周知のスパッタ法などにより成膜する（ブロック０３０２）。なお、このＬ０層は、レーザ光が通過できるよう半透明である。
【００４３】
これと並行してＬ１層の型となるプラスチックスタンパを同じく射出成形により作製する（ブロック０３０３）。成形材料は、一般的にはシクロオレフィンポリマーであるが、ポリカーボネートやアクリルなどでも良い。Ｌ１層のＮｉスタンパは同じくレーザ露光したフォトレジストのメッキにより作製するが、パターンの凹凸はＬ０層と逆にしておく。
【００４４】
記録層を形成したＬ０層成形板とプラスチックスタンパをフォトポリマーを介して貼り合わせて、紫外線を照射して硬化させる（ブロック０３０４）。その後、プラスチックスタンパを剥がしてＬ１層パターンが転写されたフォトポリマー層を剥き出しにする（ブロック０３０５）。次に、このＬ１層のフォトポリマー上に、記録層となる有機色素材料をスピンコートにより塗布し、さらに反射膜となる金属膜（例えば銀または銀合金）をスパッタ法などにより成膜する（ブロック０３０６）。
【００４５】
それと平行してダミー板（材料はポリカーボネート等）を射出成形により作製し（ブロック０３０７）、これを紫外線硬化接着剤により貼り合わせる事で２層の追記型光ディスクが完成形となる（ブロック０３０８）。なお、図示しないが、ダミー板には、インクジェットプリンタ等によるユーザ印刷用の表面コーティングを施したり、ディスク製造（または販売）メーカのブランド名や製品名等のパターンを付加してもよい。
【００４６】
２層ディスクの作製は、次のような方法でもよい（図６、図１３参照）。すなわち、２層ディスクではＬ０、Ｌ１の各スタンパを作製し、射出成形によりＬ０、Ｌ１の各成形基板を作成するまでは単層ディスクの場合と同じである。その後、Ｌ０基板にＬ０用有機色素をスピンコートで塗布し、半透過の薄い反射膜を成膜する（図６のブロック０３０２、図１３のＬ０記録層とＬ０反射膜参照）。その上にフォトポリマー（図１３の中間層１０３参照）を塗布し別に用意したＬ１基板と貼り合わせ（図１３の接着層参照）、紫外線を照射し硬化させる（図６のブロック０３０４）。続いて剥離装置によりＬ１基板のみを剥離し、Ｌ１基板のパターンを転写させる（図６のブロック０３０５）。その上にＬ１用有機色素をスピンコートで塗布し、反射膜を成膜する（図６のブロック０３０６、図１３のＬ１記録層とＬ１反射膜参照）。最後に、別に用意しておいたダミー基板と貼り合わせて（図６のブロック０３０８）、追記型片面２層光ディスク（２層Ｒディスク）になる。この貼り合せディスクに対して、ＢＣＡ記録装置（図３または図１４）によりＢＣＡにディスク固有のバーコード状ＢＣＡパターン（図１の１０５）を記録する事で２層追記型光ディスクの完成となる。
【００４７】
この発明の一実施の形態に係る追記型光ディスクでは、例えば原盤露光の工程で、Ｌ１用原盤のみに、予め、半径２２．１〜２３．２ｍｍの範囲のＢＣＡに溝１０４を露光しておく。そうすれば成形工程でできる成形基板上には溝１０４が刻まれている事となり、色素塗布工程（図６ではブロック０３０６での工程の一部）でその溝に色素を溜めることができ、最後のＢＣＡ記録（ポストカット）の工程で色素の実質的な感度を上げることができる。
【００４８】
この発明の一実施の形態に係る光ディスクにおいてそのＬ１側成形基板のＢＣＡ領域に予め設けておく溝１０４の寸法であるが、データ領域の溝（グルーブ）と全く違う寸法では原盤露光の際にデータ領域とＢＣＡ領域の両方の溝を同じ露光機の同じプロセスで作成することができず、ディスク製造上好ましくない。そこでＢＣＡ領域のトラックピッチは、データ領域のトラックピッチ（例えば４００ｎｍ）と同程度とする。しかし、全く同じでは、光学ドライブでＢＣＡ信号を再生する際に、トラッククロス信号が邪魔になりＢＣＡ信号が読めない恐れがある。その場合は、ＢＣＡ領域の溝１０４のトラックピッチはデータ領域のトラックピッチよりも若干狭くし、光学ドライブのヘッドではそのトラッククロス信号が読み難いような寸法にするとよい。さらに、トラッククロス信号がＢＣＡ信号を読む際の邪魔にならないようにするため、ＢＣＡ領域の溝１０４の幅はそのトラックピッチの半分より広くして、色素を溝１０４に効率よく溜めつつトラッククロス信号を出にくくする。
【００４９】
上記の溝１０４の好ましい寸法は、次のようになる。すなわち、ＢＣＡ領域の溝１０４のトラックピッチはデータ領域のトラックピッチ（例えば４００ｎｍ）の１．０５倍〜０．０５倍、ＢＣＡ領域の溝１０４の幅はＢＣＡ領域のトラックピッチ（例えば２００ｎｍ〜４２０ｎｍ）の０．６倍〜０．８倍であることが望ましい。
【００５０】
図７は、例えばＬ０層用色素材料にＣＤ−Ｒ／ＤＶＤ−Ｒ用色素材料を適量混合することによりＬ１層のＢＣＡ用色素材料が得られること、およびＢＣＡに溝１０４を設けそこに色素材料を溜める（埋め込む）ことで吸光度がアップすることを説明する図である。
【００５１】
ここでは、一例として、ＢＣＡ情報を記録する奥の層（Ｌ１）に相応しい色素の吸光度特性のグラフを示す。図７に例示される色素は、波長４０５ｎｍでデータの記録再生を行う次世代光ディスク（ＨＤ＿ＤＶＤ等）用の色素であるため、当然４０５ｎｍ前後に感度を持つが、それに加えて、図７のグラフＤ、Ｅのように、一般的なＢＣＡ記録装置のレーザ波長である６８０ｎｍ〜７８０ｎｍ（あるいは６５０ｎｍ〜７８０ｎｍもしくは６００ｎｍ〜８００ｎｍ）の範囲内で若干記録感度を持たせてある。使用するレーザ波長で感度を持つ有機色素材料をＢＣＡに用いれば、手前の層（Ｌ０）越しに奥の層（Ｌ１）へ正しくＢＣＡ情報を記録することができる。一方、手前の層（Ｌ０）の色素は、図７のグラフＡのように、６８０ｎｍ〜７８０ｎｍ（あるいは６５０ｎｍ〜７８０ｎｍもしくは６００ｎｍ〜８００ｎｍ）の範囲での記録感度を相対的に落としておく。そうすることで、奥の層（Ｌ１）のみに選択的にＢＣＡを記録することが可能となる。
【００５２】
＜ＢＣＡ記録のため６００ｎｍ〜８００ｎｍの範囲内に感度を持たせたＬ１層用色素材料について＞
この発明の一実施の形態に係る追記型多層光ディスクは、波長４０５ｎｍでデータの記録再生を行うディスクであるため。Ｌ０層、Ｌ１層共に波長４０５ｎｍにおいて光吸収を持つ有機色素材料を用いる。更に、Ｌ１層の色素については、波長６００ｎｍ〜８００ｎｍの範囲内のレーザ光を用いたＢＣＡ記録ができるように、６００ｎｍ〜８００ｎｍの範囲内にも光吸収を持つようにする。例えば、波長４０５ｎｍ近辺にのみ光吸収を持ったＬ０用色素（６００ｎｍ〜８００ｎｍの範囲で光吸収が小さいか殆どないグラフＡ）に対して、６００ｎｍ〜８００ｎｍの範囲内に光吸収を持つ色素を混ぜたもの（グラフＤ）をＬ１層用色素とする。
【００５３】
このような混合色素（グラフＤ）はＬ１層のＢＣＡ記録場所だけでもよいのだが、製造工程の簡略化（ひいては量産されるディスクの単価低減）のためには、Ｌ１層全体に混合色素（グラフＤ）を用いるとよい。Ｌ１層全体に混合色素（グラフＤ）を用いた場合、Ｌ１層のＢＣＡ記録再生をＬ０層越しに行えるのみならず、Ｌ１層のデータ領域は、青系レーザによる高密度記録と赤系レーザによる（相対的な）低密度記録の双方に対応可能となる。
【００５４】
さらに、上記のＬ１層用混合色素（グラフＤ）を図１の溝１０４に溜めるように構成すると、図７のグラフＥに示すように、ＢＣＡ記録波長におけるＢＣＡ記録感度（吸光度）がより高まる（換言すれば、溝１０４を設けることによって、ＢＣＡ領域に限って、ＢＣＡ記録波長のレーザのエネルギを吸収する色素体積が増える）。
【００５５】
図８はＬ０層用有機材料の金属錯体部分の具体例を示す図であり、図９はＬ０層用有機材料の色素部分の具体例を示す図である。図８に示したアゾ金属錯体の中心金属Ｍを中心とした円形の周辺領域が発色領域８となる。この発色領域８をレーザ光が通過すると、この発色領域８内の局在電子がレーザ光の電場変化に共鳴（共振）して、レーザ光のエネルギーを吸収する。この局在電子が最も共鳴（共振）してエネルギーを吸収し易い電場変化の周波数をレーザ光の波長に換算した値を最大吸収波長λｍａｘで表す。図８に示すような発色領域８（共鳴範囲）の長さが長くなる程、最大吸収波長λｍａｘが長波長側にシフトする。また、図８において中心金属Ｍの原子を代える事で中心金属Ｍ周辺の局在電子の局在範囲（中心金属Ｍが局在電子をどれだけ中心付近に引き寄せられるか）が変化し、最大吸収波長λｍａｘの値が変化する。例えばλｍａｘが４０５ｎｍ付近になるものを選択すれば、波長４０５ｎｍに感度（光吸収）を持つ有機材料が得られることになる。
【００５６】
波長４０５ｎｍに光吸収を持つＬ０層用色素材料としては、図８に一般構造式を示した有機金属錯体部と図９に示した色素材料部を組み合わせた構造を持つ有機色素材料を用いることができる。有機金属錯体の中心金属Ｍとしては、一般に、コバルトあるいはニッケル（その他スカンジウム、イットリウム、チタン、ジルコニウム、ハフニウム、バナジウム、ニオブ、タンタル、クロム、モリブデン、タングステン、マンガン、テクネチウム、レニウム、鉄、ルテニウム、オスミウム、ロジウム、イリジウム、パラジウム、白金、銅、銀、金、亜鉛、カドミウム、水銀など）を用いることができる。また、色素材料部分としては図９（ａ）（ｂ）（ｃ）に一般構造式を示したシアニン色素、スチリル色素、モノメチンシアニン色素を用いることができる。
【００５７】
更に、波長４０５ｎｍ（４５０ｎｍ以下）のみならず６００ｎｍ〜８００ｎｍ（あるいは６５０ｎｍ〜７８０ｎｍもしくは６８０ｎｍ〜７８０ｎｍ）の範囲内にも光吸収を持つＬ１層用色素材料としては、次のものを用いることができる。すなわち、上述のＬ０層用色素材料をベースに波長６００ｎｍ〜８００ｎｍ（あるいは６５０ｎｍ〜７８０ｎｍもしくは６８０ｎｍ〜７８０ｎｍ）の範囲内に光吸収を持つＣＤ−ＲまたはＤＶＤ−Ｒ用色素を混合する。これにより、データ記録用の波長４０５ｎｍでの光吸収に加えて、ＢＣＡ記録に用いる波長６００ｎｍ〜８００ｎｍ（あるいは６５０ｎｍ〜７８０ｎｍもしくは６８０ｎｍ〜７８０ｎｍ）の範囲内の光吸収を持たせることができる。そのために混合するＣＤ−ＲまたはＤＶＤ−Ｒ用色素としては、具体的には、アゾ色素、シアニン色素、フタロシアニン色素など公知の有機色素材料がある。また、その混合量は、例えば１０ｗｔ．％程度が実用的である。
【００５８】
（実施例２）
図１等を参照して説明した実施例１のディスクでは、予め設けた溝１０４の効果で色素厚を稼ぎ（換言すれば単位時間当たりにレーザのエネルギを吸収する色素の体積を増やす）、ＢＣＡ作製時の記録感度の向上を図っている。しかし、これとは別に、ＢＣＡを設ける層に用いる有機色素の成分を調整することもＢＣＡ作製時の記録感度の向上にとって有効な方法である。すなわち、例えば２層ＨＤ＿ＤＶＤ−ＲディスクではＬ１層にのみＢＣＡを形成するため、Ｌ１層の有機色素を調整することになる。
【００５９】
実施例２の試作ディスクは以下の条件で作成した。４０５ｎｍ付近で吸収を持ち記録可能な有機色素を用いたＬ０層を形成後、その上にフォトポリマーによりＬ１基板のパターンを転写させ、さらにＬ１用有機色素をスピンコートで塗布した。
【００６０】
塗布した有機色素（Ａ）は、図１０の有機材料２８ｗｔ．％＋図１１の有機材料５７ｗｔ．％＋図１２の有機材料１５ｗｔ．％の比率で各構造体を混合したものである。この混合色素を塗布した基板にＡｇ合金の反射膜をスパッタリングにより１００ｎｍ積層し、ＵＶ硬化樹脂を用いて０．６ｍｍ厚の透明樹脂基板（ポリカーボネート）と貼り合わせた。
【００６１】
（実施例３）
上記実施例１、２の方法で試作した追記型２層ディスクのＢＣＡ部信号評価を行った。評価装置は、レーザ波長λ：４０５ｎｍ、光ピックアップの対物レンズの開口数ＮＡ：０．６５の光学ヘッドを有する光ディスク信号評価機である。以下に評価装置の構成を説明する。
【００６２】
図１４は、この発明の一実施の形態に係る光ディスク評価装置の概略図を示す。光ディスク装置２０は、光ピックアップ部（光学ヘッド）２１、レベルスライス信号処理回路２３、ＰＲＭＬ信号処理回路２４、信号判定回路２５、ドライブ制御回路２６、エラー訂正部２７、上位装置インターフェース２８、変調器２９、書込補償回路３０、書込みドライバ３１、サーボ制御部３２、スピンドルモータ３３等により構成されている。
【００６３】
光ピックアップ部２１は、対物レンズ１２を有している。光ピックアップ２１部内には、対物レンズ１２に対応して半導体レーザユニット２２が設けられている。このユニット２２は、レーザ制御ユニットとしての書込みドライバ３１によって付勢され、所定波長のレーザ光を発生する。半導体レーザユニット２２が付勢されると、光ディスク１００に対物レンズ１２が向けられ、対応するレーザ光が光ディスク１００に収束される。この収束されたレーザ光で光ディスク１００に評価用のデータが書き込まれ、再生される。ＢＣＡの再生では、ディスク１００の所定の半径位置に光学ヘッド２１を移動しフォーカスサーボだけをかけた状態で、ＢＣＡから信号を検出する。
【００６４】
上記の評価装置によって、（実施例１）及び（実施例２）で試作した追記型２層ディスクを評価したところ、ＢＣＡ信号振幅規格（ＩBLmax／ＩBHmin≦０．８０という規格）およびパルス幅の規格（ＢＣＡ信号パルス振幅の中間レベル＝（ＩBHmin＋ＩBLmax）／２において、ローレベルのパルス幅が１．５６±０．７５μｓで、ｎを１〜４の整数としたときに１周期が４．６３ｎ±１．００μｓという規格）をクリアすることが確認された。
【００６５】
［他の応用例］
追記型光ディスクについては、記録することによりマークの反射率が未記録部より低下するHigh to Lowメディア、逆に記録することによりマークの反射率が未記録部より上昇するLow to Highメディア（例えば特開2002-74740号公報あるいは特開2002-206061号公報にあるような色素を用いた場合）がある。この発明の実施の形態は、どちらの場合でも適用できる。更にはＢＣＡ領域にバーコード状にパターンを記録する場合だけでなく、逆に白抜き文字のように”記録していない”部分がバーコード状になるようなＢＣＡパターンにも適用できる。
【００６６】
＜まとめ＞
（１）この発明の一実施の形態に係る追記型光ディスク（１００）は、1以上の成形基板（１０１、１０２）に1以上の記録層（Ｌ０、Ｌ１）を持ち、この記録層のうちの１つ（Ｌ１）に有機色素材料を用いたバーストカッティングエリア（ＢＣＡ）が設けられ、このバーストカッティングエリアはディスク固有の特定情報（図２のＢＡＣレコード等）を記録できるように構成され、波長が６００ｎｍ以下（好ましくは４５０ｎｍ以下、具体例として４０５ｎｍ）のレーザ光を前記記録層（Ｌ０またはＬ１）のデータエリア（ＤＡ）に照射することにより記録再生が行われる。この光ディスクにおいて、前記バーストカッティングエリア（ＢＣＡ）が設けられる記録層（Ｌ１）を持つ前記成形基板（１０２）に溝（図１の１０４）を設け、この溝に前記有機色素材料を溜めることで、前記ディスク固有の特定情報（ＢＡＣレコード等）を記録する波長（６００ｎｍ〜８００ｎｍ：具体例として６５０ｎｍ）に対する前記バーストカッティングエリアの感度（図７の吸光度のグラフＥ）を、溝のない場合（図７の吸光度の例えばグラフＤ）と比べて相対的に高める。
【００６７】
（２）前記１以上の形成基板のうちの前記バーストカッティングエリアを含むエリア（図１３のＢＡ）に限定して前記溝（１０４）を設ける。
【００６８】
（３）前記バーストカッティングエリアに設けられる前記溝（１０４）の形状は、その溝ピッチが前記データエリアのトラックピッチ（４００ｎｍ）と同程度かそれよりも狭く、その溝幅が溝ピッチの半分よりも広い。
【００６９】
（４）前記溝（１０４）の形状は、その溝ピッチが前記データエリアのトラックピッチの１．０５倍ないし０．５０倍の範囲にあり、その溝幅が前記溝ピッチの０．６倍ないし０．８倍の範囲にある。
【００７０】
（５）前記記録層は複数設けられ、前記複数の記録層（Ｌ０、Ｌ１）のうち前記レーザ光の受光面側の記録層（Ｌ０）の前記データエリアには４０５ｎｍ前後（±１５ｎｍ）の波長の光に感度を持つ第１の有機色素材料（図８、図９）が用いられる。また、前記複数の記録層（Ｌ０、Ｌ１）のうち前記レーザ光の受光面より奥にある記録層（Ｌ１）に前記バーストカッティングエリアが設けられ、このバーストカッティングエリアの前記溝（１０４）に溜められる前記有機色素材料には６００ｎｍないし８００ｎｍの範囲内の波長の光に感度を持つ第２の有機色素材料（図１０〜図１２）が用いられる。
【００７１】
（６）前記記録層は複数設けられ、前記複数の記録層（Ｌ０、Ｌ１）のうち前記レーザ光の受光面より奥にある記録層（Ｌ１）の全体には、４０５ｎｍ前後（±１５ｎｍ）の波長の光と６００ｎｍないし８００ｎｍの範囲内の波長の光の双方に感度を持つ（図７のグラフＤまたはＥ）有機色素材料（図１０〜図１２）が用いられる。
【００７２】
（７）前記特定情報がチャネルビット０相当のＢＣＡスペースとチャネルビット１相当のＢＣＡマークの組み合わせにより前記バーストカッティングエリアに記録される場合において、前記チャネルビット０に対応する再生信号振幅（ノイズ等の影響でトップレベル側の振幅値もボトムレベル側の振幅値も変動がある）の最大トップレベルおよび最小トップレベルをそれぞれＩＢＨｍａｘおよびＩＢＨｍｉｎとし、前記チャネルビット１に対応する再生信号振幅の最大ボトムレベルをＩＢＬｍａｘとしたときに、ＩＢＬｍａｘ／ＩＢＨｍｉｎが０．８以下となるように、前記溝の形状および／または前記溝に溜められる有機色素材料が選択される。
【００７３】
（８）前記チャネルビット０に対応する再生信号振幅のレベル変動を示すＩＢＨｍａｘ／ＩＢＨｍｉｎが１．４以下となるように、前記溝の形状および／または前記溝に溜められる有機色素材料が選択される。
【００７４】
（９）波長が６００ｎｍ以下のレーザ光の照射により記録再生を行う追記型の多層（２層）光ディスクであって、情報を読み出すためのガイドとなる同心円状またはスパイラル状に設けられたグルーブ（及び情報を持つピット）を有する１以上の成形基板を具備し、前記１以上の形成基板のうちの１つはディスク固有の特定情報（図２のＢＡＣレコード等）情報が特定の波長（６００ｎｍ〜８００ｎｍの範囲内の１つ：例えば６５０ｎｍ）で記録されるバーストカッティングエリアを持ち、前記１以上の成形基板に有機色素からなる記録層を設けることで情報の記録再生を可能とする光ディスクにおいて、前記バーストカッティングエリアに溝（１０４）を設け、この溝に有機色素材料を溜めることで、この有機色素材料の前記特定の波長（例えば６５０ｎｍ）に対する感度を上げる。
【００７５】
（１０）この発明の一実施の形態に係る情報記録方法では、波長が６００ｎｍ以下のレーザ光の照射により記録再生を行う追記型の多層（２層）光ディスクであって、情報を読み出すためのガイドとなる同心円状またはスパイラル状に設けられたグルーブ（及び情報を持つピット）を有する１以上の成形基板を具備し、前記１以上の形成基板のうちの１つはディスク固有の特定情報（図２のＢＡＣレコード等）情報が特定の波長（６００ｎｍ〜８００ｎｍの範囲内の１つ：例えば６５０ｎｍ）で記録されるバーストカッティングエリアを持ち、このバーストカッティングエリアには有機色素材料が溜められた溝（１０４）が設けられ、前記１以上の成形基板に有機色素からなる記録層（Ｌ０、Ｌ１）を設けることで情報の記録再生を可能とする光ディスクが用いられる。この記録方法においては、前記溝（１０４）が設けられた前記バーストカッティングエリアに前記特定の波長（例えば６５０ｎｍ）のレーザを照射して、前記特定情報を記録する。
【００７６】
（１１）この発明の一実施の形態に係る情報再生方法では、波長が６００ｎｍ以下のレーザ光の照射により記録再生を行う追記型の多層（２層）光ディスクであって、情報を読み出すためのガイドとなる同心円状またはスパイラル状に設けられたグルーブ（及び情報を持つピット）を有する１以上の成形基板を具備し、前記１以上の形成基板のうちの１つはディスク固有の特定情報（図２のＢＡＣレコード等）情報が特定の波長（６００ｎｍ〜８００ｎｍの範囲内の１つ：例えば６５０ｎｍ）で記録されたバーストカッティングエリアを持ち、このバーストカッティングエリアには有機色素材料が溜められた溝（１０４）が設けられ、前記１以上の成形基板に有機色素からなる記録層（Ｌ０、Ｌ１）を設けることで情報の記録再生を可能とする光ディスクが用いられる。この再生方法においては、前記溝（１０４）が設けられた前記バーストカッティングエリアに前記所定波長（例えば４０５ｎｍ）のレーザを照射して、前記特定情報を再生する。
【００７７】
（１２）この発明の一実施の形態に係るディスクドライブでは、波長が６００ｎｍ以下のレーザ光の照射により記録再生を行う追記型の多層（２層）光ディスクであって、情報を読み出すためのガイドとなる同心円状またはスパイラル状に設けられたグルーブ（及び情報を持つピット）を有する１以上の成形基板を具備し、前記１以上の形成基板のうちの１つはディスク固有の特定情報（図２のＢＡＣレコード等）情報が特定の波長（６００ｎｍ〜８００ｎｍの範囲内の１つ：例えば６５０ｎｍ）で記録されたバーストカッティングエリアを持ち、このバーストカッティングエリアには有機色素材料が溜められた溝（１０４）が設けられ、前記１以上の成形基板に有機色素からなる記録層（Ｌ０、Ｌ１）を設けることで情報の記録再生を可能とする光ディスクが用いられる。このディスクドライブは、前記光ディスク（１００）を回転駆動する手段（３３）と；前記溝（１０４）が設けられた前記バーストカッティングエリアに前記所定波長（例えば４０５ｎｍ：ＢＣＡ記録波長と同じである必要はない）のレーザを照射して、前記特定情報を読み取る手段（２２）とを具備している。
【００７８】
なお、この発明は前述した実施の形態に限定されるものではなく、現在または将来の実施段階では、その時点で利用可能な技術に基づき、その要旨を逸脱しない範囲で種々に変形することが可能である。たとえば、受光面（ディスク表面）から奥０．１ｍｍのところに青レーザに対して高感度を持つ記録層を設け、受光面から奥０．６ｍｍの付近に青レーザに対して高感度を持つ別の記録層を設け、その更に奥に赤レーザに対して高感度を持つＢＣＡ記録エリアを持つ記録層（データ記録エリアには青レーザに対して高感度を持つ有機材料を採用する）を設けるようにしてもよい。
【００７９】
また、各実施形態は可能な限り適宜組み合わせて実施してもよく、その場合組み合わせた効果が得られる。さらに、上記実施形態には種々の段階の発明が含まれており、開示される複数の構成要件における適当な組み合わせにより種々の発明が抽出され得る。例えば、実施形態に示される全構成要件からいくつかの構成要件が削除されても、この構成要件が削除された構成が発明として抽出され得る。
【図面の簡単な説明】
【００８０】
【図１】この発明の一実施の形態に係る追記型片面多層（２層）光ディスクのＬ１層にバーストカッティングエリア（ＢＣＡ）が形成されることを説明する図。
【図２】図１のＢＣＡに記録されるＢＣＡレコードの内容例を説明する図。
【図３】図２のＢＣＡレコード等を含む特定情報を図１のＢＣＡに記録する装置の構成例を説明する図。
【図４】図１の追記型片面多層（２層）光ディスクのＬ１層に特定情報（ＢＣＡレコード等）を記録する手順の一例を説明するフローチャート図。
【図５】図１の追記型片面多層（２層）光ディスクのＬ１層から特定情報（ＢＣＡレコード等）を再生する手順の一例を説明するフローチャート図。
【図６】この発明の一実施の形態に係る追記型片面２層光ディスクの製造工程例を説明する図。
【図７】ＢＣＡ記録用色素を溜める溝をＢＣＡに設けることにより、ＢＣＡにおける吸光度を高めることができることを説明する図。
【図８】Ｌ０層用有機材料の金属錯体部分の具体例を示す図。
【図９】Ｌ０層用有機材料の色素部分の具体例を示す図。
【図１０】Ｌ１層用有機材料の一部の具体例を示す図。
【図１１】Ｌ１層用有機材料の他部の具体例を示す図。
【図１２】Ｌ１層用有機材料のさらに他部の具体例を示す図。
【図１３】この発明の一実施の形態に係る追記型片面多層（２層）光ディスクの断面構造例を説明する図。
【図１４】この発明の一実施の形態に係る光ディスクを評価する装置の構成例を説明する図。
【符号の説明】
【００８１】
１００…追記型片面多層（２層）光ディスク；１０１…Ｌ０層側基板；１０２…Ｌ１層側基板；１０３…中間層（フォトポリマー）；１０４…ＢＣＡ用色素を溜める溝；；１０５…ＢＣＡマークのパターン；ＢＣＡ…Ｌ０層越しに、その光ディスクに関する特定情報が記録されるバーストカッティングエリア；２００…ＢＣＡ記録装置；２０…光ディスク評価装置。
【図１】
2007323773.tif 000003
【図２】
2007323773.tif 000004
【図３】
2007323773.tif 000005
【図４】
2007323773.tif 000006
【図５】
2007323773.tif 000007
【図６】
2007323773.tif 000008
【図７】
2007323773.tif 000009
【図８】
2007323773.tif 000010
【図９】
2007323773.tif 000011
【図１０】
2007323773.tif 000012
【図１１】
2007323773.tif 000013
【図１２】
2007323773.tif 000014
【図１３】
2007323773.tif 000015
【図１４】
2007323773.tif 000016